【手続補正書】
【提出日】平成15年7月28日(2003.7.28)
【手続補正１】
【補正対象書類名】明細書
【補正対象項目名】特許請求の範囲
【補正方法】変更
【補正の内容】
【特許請求の範囲】
【請求項１】
周辺端部によって結合される前面及び背面の光学面を有するレンズを端部被覆するにあたり：
端部に強く結合するけれども光学面に弱くしか結合しない端部被覆物質を選ぶ工程；
端部被覆物質を端部に適用する工程；及び
耐久性の端部被覆を生じさせるように、光学面上に残る任意の過剰な端部被覆物質を除去する工程
を含むことを特徴とするレンズの端部被覆方法。
【請求項２】
レンズが、前面及び背面の光学面のそれぞれに外面的に被覆された処理レンズである請求項１記載の方法。
【請求項３】
レンズがプラスチックである請求項２記載の方法。
【請求項４】
プラスチックが、アリルジグリコールカーボネート又はポリカーボネートに基づく重合体を包含する群から選ばれる請求項３記載の方法。
【請求項５】
端部被覆物質が、有機重合体を形成するように、硬化性であり、及び方法が、端部被覆物質を、レンズの端部に適用した後に硬化させる工程を含む請求項４記載の方法。
【請求項６】
端部被覆物質が紫外線硬化性である請求項５記載の方法。
【請求項７】
端部被覆物質が、硬化後、柔軟でなく、可とう性でないか、又は脆性でない耐久性の端部被覆を提供する単量体である請求項６記載の方法。
【請求項８】
端部被覆物質がアクリレートである請求項７記載の方法。
【請求項９】
アクリレートが、ラウリルアクリレート；イソボルニルアクリレート；１，６−ヘキサンジオールジアクリレート；ポリエチレングリコールジアクリレート；ビスフェノールＡジアクリレート；トリメチルプロパントリアクリレート；トリス（２−ヒドロキシエチル）イソシアヌレートトリアクリレート；ペンタエリスリトールトリアクリレート；ペンタエリスリトールテトラアクリレート；ジ−トリメチロールプロパンテトラアクリレート；ジペンタエリスリトールペンタアクリレート；ウレタンアクリレート；及びウレタンアクリレートとアクリル酸エステルとの混合物の一覧から選ばれる請求項８記載の方法。
【請求項１０】
アクリレートが、トリス（２−ヒドロキシエチル）イソシアヌレート；ジ−トリメチロールプロパンテトラアクリレート；ウレタンアクリレート；及びウレタンアクリレートとアクリル酸エステルとの混合物からなる群より選ばれる多官能アクリレートである請求項９記載の方法。
【請求項１１】
端部被覆物質がＵＶ開始剤を含む請求項９記載の方法。
【請求項１２】
ＵＶ開始剤が、α−ヒドロキシ−ケトン；α−アミノ−ケトン；ベンジルジメチル−ケタール；及びホスフィンオキシドからなる群より選ばれる請求項１１記載の方法。
【請求項１３】
端部被覆が、レンズ端部上の端部被覆物質の均一な被覆を達成するのに関与するように、均染剤を含む請求項９〜１１のいずれか一項記載の方法。
【請求項１４】
均染剤が、フッ化表面活性剤及びポリジメチルシロキサン系表面活性剤からなる群より選ばれる表面活性剤である請求項１３記載の方法。
【請求項１５】
端部被覆物質が剥離剤を含有する請求項１４記載の方法。
【請求項１６】
剥離剤が、ポリ−ジメチルシロキサン；シリコングリース；パラフィン油；及びワックスからなる群より選ばれる請求項１５記載の方法。
【請求項１７】
端部被覆物質が溶媒を含む請求項１４〜１６のいずれか一項記載の方法。
【請求項１８】
方法が、色付き端部被覆を適用するのに用いられ、及び端部被覆物質が染料又は顔料を含有する請求項１７記載の方法。
【請求項１９】
レンズが眼科用レンズである請求項１〜９のいずれか一項記載の方法。
【請求項２０】
周辺端部によって結合される前面及び背面の光学面を有するレンズであって、周辺端部が、端部に強く結合するけれども光学面に弱くしか結合しない端部被覆を用いて被覆されており、及び端部被覆が耐久性であることを特徴とするレンズ。
【請求項２１】
レンズが眼科用レンズである請求項２０記載のレンズ。
【請求項２２】
レンズがプラスチックである請求項２１記載のレンズ。
【請求項２３】
レンズが前面及び背面の光学面のそれぞれを外面的に被覆されている請求項２２記載のレンズ。
【請求項２４】
端部被覆物質が有機重合体を形成するように硬化性である請求項２０記載のレンズ。
【請求項２５】
端部被覆物質が紫外線硬化性単量体である請求項２０記載のレンズ。
【請求項２６】
単量体がアクリレートである請求項２５記載のレンズ。
【請求項２７】
アクリレートが、ラウリルアクリレート；イソボルニルアクリレート；１，６−ヘキサンジオールジアクリレート；ポリエチレングリコールジアクリレート；ビスフェノールＡジアクリレート；トリメチルプロパントリアクリレート；トリス（２−ヒドロキシエチル）イソシアヌレートトリアクリレート；ペンタエリスリトールトリアクリレート；ペンタエリスリトールテトラアクリレート；ジ−トリメチロールプロパンテトラアクリレート；ジペンタエリスリトールペンタアクリレート；ウレタンアクリレート；及びウレタンアクリレートとアクリル酸エステルとの混合物からなる群より選ばれている請求項２６記載のレンズ。
【請求項２８】
アクリレートが、トリス（２−ヒドロキシエチル）イソシアヌレート；ジ−トリメチロールプロパンテトラアクリレート；ウレタンアクリレート；及びウレタンアクリレートとアクリル酸エステルとの混合物からなる群より選ばれる多官能アクリレートである請求項２７記載のレンズ。
【請求項２９】
端部被覆物質が色を付けられている請求項２８記載のレンズ。
【請求項３０】
レンズの端部に強く結合するが、端部によって結合されるレンズの前面及び背面の光学面に弱くしか結合しない端部被覆物質を含有する組成物であって、組成物が、剥離剤を含有しており、及び光学面上の任意の過剰な端部被覆物質を除去して耐久性の端部被覆を生じさせ得るように端部に適用させるのに適していることを特徴とする組成物。
【請求項３１】
端部被覆物質が、有機重合体を形成するように硬化性である請求項３０記載の組成物。
【請求項３２】
端部被覆物質がアクリレートである請求項３０記載の組成物。
【請求項３３】
アクリレートが、ラウリルアクリレート；イソボルニルアクリレート；１，６−ヘキサンジオールジアクリレート；ポリエチレングリコールジアクリレート；ビスフェノールＡジアクリレート；トリメチルプロパントリアクリレート；トリス（２−ヒドロキシエチル）イソシアヌレートトリアクリレート；ペンタエリスリトールトリアクリレート；ペンタエリスリトールテトラアクリレート；ジ−トリメチロールプロパンテトラアクリレート；ジペンタエリスリトールペンタアクリレート；ウレタンアクリレート；及びウレタンアクリレートとアクリル酸エステルとの混合物からなる群より選ばれている請求項３２記載の組成物。
【請求項３４】
アクリレートが、トリス（２−ヒドロキシエチル）イソシアヌレート；ジ−トリメチロールプロパンテトラアクリレート；ウレタンアクリレート；及びウレタンアクリレートとアクリル酸エステルとの混合物からなる群より選ばれる多官能アクリレートである請求項３３記載の組成物。
【請求項３５】
ＵＶ開始剤を含有する請求項３４記載の組成物。
【請求項３６】
ＵＶ開始剤が、α−ヒドロキシ−ケトン；α−アミノ−ケトン；ベンジルジメチル−ケタール；及びホスフィンオキシドからなる群より選ばれている請求項３５記載の組成物。
【請求項３７】
均染剤を含有する請求項３６記載の組成物。
【請求項３８】
均染剤が、フッ化表面活性剤及びポリジメチルシロキサン系表面活性剤からなる群より選ばれる表面活性剤である請求項３７記載の組成物。
【請求項３９】
剥離剤が、ポリ−ジメチルシロキサン；シリコングリース；パラフィン油；及びワックスからなる群より選ばれている請求項３０記載の組成物。
【請求項４０】
溶媒を含む請求項３０記載の組成物。
【請求項４１】
溶媒が、トルエン、キシレン、エタノール、イソプロパノール、イソ−ブタノール、メチルエチルケトン、メチルイソブチルケトン、エチルアセテート、イソプロピルアセテート、及びプロピレングリコールモノメチルエーテルからなる群の１又はそれ以上より選ばれている請求項４０記載の組成物。
【請求項４２】
染料及び／又は顔料を含有する請求項３０記載の組成物。